(57)【要約】      （修正有）【課題】携帯に便利な食品容器の構造を提供する。【解決手段】収納空間10を有する本体1、頂部11及び底部12を備える。底部12は本体1の収納空間10方向に凹入した収納部を有する。頂部11は外縁に軸方向に対応する両側に取っ手2、3を有し、端部20、21、30、31をそれぞれ有する。取っ手2、3は、端部20と端部30との間に彎曲した第１の携帯部4を有し、端部21及び端部31との間には第２の携帯部5を有し、本体1の外側に結合し取り巻いている。携帯部は取っ手2、3の近くに、断面が凹形を呈する彎曲部41、51をそれぞれ有し、携帯部が方向を変えるのに役立つ。第１の携帯部4は凸部40を有し、第２の携帯部5は凹部50を有する。携帯部は頂部11方向に同時に揺動して結合し、使用者が携帯するのに便利である。また、携帯部は底部12方向に同時に揺動して結合し、凸部40及び凹部50を底部12の収納部に収納する。【選択図】図１
0003132223.tif 000002
【実用新案登録請求の範囲】
【請求項１】
収納空間を有する本体、頂部および底部を備える携帯に便利な食品容器の構造であって、
前記底部は前記本体の前記収納空間の方向に凹入した収納部を有し、
前記頂部は外縁に軸方向に対応する両側にそれぞれ取っ手を有し、前記取っ手は軸方向
に対応する２つの端部をそれぞれ有し、２つの前記取っ手は、同じ側の前記端部と前記端
部との間に彎曲した携帯部をそれぞれ有し、前記本体の外側に結合し取り巻いて第１の携
帯部および第２の携帯部となり、前記第１の携帯部は凸部を有し、前記第１の携帯部に対
応する前記第２の携帯部は表面に凹部を有して、
前記第１の携帯部および前記第２の携帯部は前記本体の前記頂部方向に同時に揺動して
結合し、使用者が携帯するのに便利であり、前記第１の携帯部および前記第２の携帯部は
前記本体の前記底部方向に同時に揺動結合し、前記凸部および前記凹部を前記底部の前記
収納部に収納し、前記本体が他の物と重ねて配置されるのに支障をきたしてしまうことが
ないことを特徴とする携帯に便利な食品容器の構造。
【請求項２】
前記本体の前記頂部は開放式デザインであり、前記本体の前記頂部は蓋により閉められる
ことを特徴とする請求項１に記載の携帯に便利な食品容器の構造。
【請求項３】
前記取っ手は断面が『形であることを特徴とする請求項１に記載の携帯に便利な食品容器
の構造。
【請求項４】
前記凸部は凸面を有し、前記凹部は凹面を有し、前記凸面は前記凹面より少し小さく、前
記凸面と前記凹面は上下に重なる状態で嵌合することを特徴とする請求項１に記載の携帯
に便利な食品容器の構造。
【請求項５】
前記携帯部は前記取っ手の近くに、断面が凹形を呈する彎曲部を有することを特徴とする
請求項１に記載の携帯に便利な食品容器の構造。
【考案の詳細な説明】
【技術分野】
【０００１】
本考案は、携帯に便利な食品容器の構造に関し、特に携帯部を容器の底部に収納するプ
ラスチック製食品容器に関する。
【背景技術】
【０００２】
プラスチック製食品容器は、食品の包装、携帯、および電子レンジによる加熱処理など
に用いられ、生活に便宜をもたらしている。従来のプラスチック製食品容器は、携帯部が
なく、携帯時には容器の本体を手で握って持たなければならず、手に他の物を持っていた
場合、携帯の困難さを増してしまうことがあった。また、食品容器、および内部に収納さ
れる食品を一緒に電子レンジで加熱処理してしまうと、食品容器の表面が熱くなり、携帯
の不便をもたらしてしまうこともあった。
【０００３】
従来のプラスチック製食品容器には以上のような問題があり、解決が待たれていた。例
えば、参考文献１のように、携帯に便利なようにプラスチック製食品容器に携帯部を装着
した物が考案された。携帯部を装着するデザインは、携帯の不便さというプラスチック製
食品容器の問題を確かに改善したが、この考案の技術内容には、依然として改善されるべ
き問題が多かった。
【特許文献１】台湾特許第３６６９０６号公報
【０００４】
まず、第１の問題は、携帯部が容器の底部の両端に装着され、蓋に向って上方で結合す
る構造になっていることである。図１は、本考案の好適な一実施形態による食品容器を示
す斜視図である。携帯部の構造は固い材料でできており、使用されない時は、図１のよう
に、外側に広がり、容器の外側の空間を占めてしまうため、特にスーパーなどの陳列棚に
おいて、その他の商品の配置に支障をきたしてしまうことが多かった。また、事前に携帯
部を揺動させて上部で結合させると、その他の物を重ねて配置することができず、空間が
限られる商店にとって、不便さをもたらすことは明白である。次に、第２の問題であるが
、図２は本考案の好適な一実施形態による携帯部の動作状態を示す斜視図である。図２の
ように、携帯部の結合については、携帯部の結合部が結合されるが、使用者が携帯部の側
面に触れると、手を切ってしまうおそれがあった。
【考案の開示】
【考案が解決しようとする課題】
【０００５】
本考案の目的は、場所をとらず、他の物を重ねることができる、携帯に便利な食品容器
の構造を提供することにある。
【課題を解決するための手段】
【０００６】
上述の目的を達成するため、本考案は、携帯に便利な食品容器の構造を提供する。本考
案の携帯に便利な食品容器の構造は、収納空間を有する本体１、頂部１１および底部１２
を備える。底部１２は本体１の収納空間１０方向に凹入した収納部１２１を有する。頂部
１１は外縁に軸方向に対応する両側に取っ手２、３を有する。取っ手２、３はそれぞれ軸
方向に対応する端部２０、２１、３０、３１を有する。一対の取っ手２、３は、端部２０
と端部３０との間に彎曲した第１の携帯部４を有し、端部２１および端部３１との間には
第２の携帯部５を有し、本体の外側に結合し、それを取り巻いて、第１の携帯部４および
第２の携帯部５となっている。
【０００７】
第１の携帯部４は取っ手２の近くに、断面が凹形を呈する彎曲部４１を有し、第２の携
帯部５は取っ手３の近くに同じく断面が凹形を呈する彎曲部５１を有し、第１の携帯部４
および第２の携帯部５が方向を変えるのに役立つ。第１の携帯部４は表面に凸部４０を有
し、第２の携帯部５は表面に凹部５０を有する。第１の携帯部４および第２の携帯部５は
本体１の頂部１１方向に同時に揺動して結合し、使用者が携帯するのに便利である。また
、第１の携帯部４および第２の携帯部５は本体１の底部１２方向に同時に揺動して結合し
、凸部４０および凹部５０を底部１２の収納部１２１に収納し、本体１が他の物と重ねて
配置されるのに支障をきたしてしまうことがなくなった。
【考案の効果】
【０００８】
凸部および凹部が底部の収納部に収納され、携帯部のデザインにより余計に占めた外部
空間が減少し、本体が他の物と重ねて配置されるようになり、場所をとらずに他の物を重
ねることができるようになった。また、凸面は凹面より少し小さくして、凸面と凹面が上
下に重なる状態で嵌合する設計により、使用者が容器を携帯する際、携帯部の鋭利な側面
に接触するのを防ぎ、手を切ってしまうおそれがなくなった。
【考案を実施するための最良の形態】
【０００９】
以下、本考案の実施形態を図面に基づいて説明する。図１は、本考案の好適な一実施形
態による食品容器を示す斜視図である。図１に示すように、本考案の携帯に便利な食品容
器は収納空間１０を有する本体１、頂部１１および底部１２を備える。図３は食品容器を
示す断面図であり、容器が重ねられる状態を示した図である。図３に示すように、底部１
２は本体１の収納空間１０方向に凹入した収納部１２１を有する。
【００１０】
頂部１１は外縁に軸方向に対応する両側に取っ手２、３を有する。取っ手２、３はそれ
ぞれ軸方向に対応する端部２０、２１、３０、３１を有する。一対の取っ手２、３は、端
部２０と端部３０との間に彎曲した第１の携帯部４を有し、端部２１および端部３１との
間には第２の携帯部５を有する。第１の携帯部４および第２の携帯部５は本体の外側に結
合し、それを取り巻いて、第１の携帯部４および第２の携帯部５となっている。第１の携
帯部４は取っ手２の近くに、断面が凹形を呈する彎曲部４１を有し、第２の携帯部５は取
っ手３の近くに同じく断面が凹形を呈する彎曲部５１を有し、第１の携帯部４および第２
の携帯部５が方向を変えるのに役立つ。
【００１１】
第１の携帯部４は表面に凸部４０を有し、第２の携帯部５は表面に凹部５０を有する。
第１の携帯部４および第２の携帯部５は本体１の頂部１１方向に同時に揺動して結合し、
使用者が携帯するのに便利である。また、図３に示すように、第１の携帯部４および第２
の携帯部５は本体１の底部１２方向に同時に揺動して結合し、凸部４０および凹部５０を
底部１２の収納部１２１に収納し、携帯部のデザインにより余計に占めた外部空間を減少
させ、本体１が他の物と重ねて配置されるのに支障をきたしてしまうことがなくなった。
【００１２】
上記の好適な一実施形態中において、本体１の頂部１１は開放式デザインであってもよ
く、内部に収納する食品を頂部１１から直接本体１の収納空間１０内に配置する。図２に
示すように、本体１の頂部１１は蓋６により閉められ、本体１に収納された食品が外部に
出てしまうのを防ぐ。また、取っ手２、３の形状は、図１に示すように、断面が『形がよ
く、取っ手２、３の構造の強度を増加させることができ、使用者が取っ手２、３を直接掴
んで本体１を持ち上げるのに便利である。
【００１３】
図４は、本考案の好適な一実施形態による結合部の結合動作の状態を示す斜視図である
。凸部４０は凸面４０１を有し、凹部５０は凹面５０１を有する。図４に示すように、凸
面４０１は凹面５０１より少し小さくして、凸面４０１と凹面５０１が上下に重なる状態
で嵌合する。このような設計により、使用者が容器を携帯する際、第１の携帯部４の鋭利
な側面４２および第２の携帯部５の鋭利な側面５２に接触するのを防ぎ、手を切ってしま
うおそれがなくなった。
【００１４】
本考案では好適な実施形態を前述の通りに開示したが、これらは決して本考案を限定す
るものではなく、当該技術を熟知する者は誰でも、本考案の精神と領域を脱しない範囲内
で各種の変更や修正を加えることができる。従って、本考案の保護の範囲は、実用新案請
求の範囲で指定した内容を基準とする。
【図面の簡単な説明】
【００１５】
【図１】本考案の好適な一実施形態による食品容器を示す斜視図である。
【図２】本考案の好適な一実施形態による携帯部の動作状態を示す斜視図である。
【図３】本考案の好適な一実施形態による食品容器を示す断面図であり、容器が重ねられる状態を示した図である。
【図４】本考案の好適な一実施形態による結合部の結合動作の状態を示す斜視図である。
【符号の説明】
【００１６】
１  本体
１０  収納空間
１１  頂部
１２  底部
１２１  収納部
２  取っ手
２０  端部
２１  端部
３  取っ手
３０  端部
３１  端部
４  第１の携帯部
４０  凸部
４１  彎曲部
４２  鋭利な側面
４０１  凸面
５  第２の携帯部
５０  凹部
５１  彎曲部
５２  鋭利な側面
５０１  凹面
６  蓋
【図１】
0003132223.tif 000003
【図２】
0003132223.tif 000004
【図３】
0003132223.tif 000005
【図４】
0003132223.tif 000006